(57)【要約】  プラズマ表示装置に発生する残像（焼き付き）を短時間で低減することを課題とする。  第１の残像対策駆動モードの開始時では、放電回数が第１の駆動電力（ｐ１）から漸次第２の駆動電力（ｐ２）に変化し、終了時では、第２の駆動電力（ｐ２）から漸次第１の駆動電力（ｐ１）に変化する。第２の残像対策駆動モードの開始時では、放電回数が第１の駆動電力（ｐ１）から漸次第３の駆動電力（ｐ３）に変化し、終了時では、放電回数が第３の駆動電力（ｐ３）から漸次第１の駆動電力（ｐ１）に変化する。  第２の駆動電力（ｐ２）は第１の駆動電力（ｐ１）よりも大きく、第３の駆動電力（ｐ３）は第１の駆動電力（ｐ１）よりも小さい。
2008126338.tif 000002
【特許請求の範囲】
【請求項１】
プラズマディスプレイパネルと、
該プラズマディスプレイパネルの表示画面に表示される所定以上の相関を有する画像の継続時間を計測する残像判定部と、
前記継続時間が第１の時間よりも長く、かつ該第１の時間よりも長い第２の時間以下の第１の固定表示の終了を検出したとき、前記第１の固定表示終了後の表示を前記プラズマディスプレイパネルに対して通常表示モードに対応した第１の駆動電力よりも大きい第２の駆動電力を供給して駆動するための第１の残像対策駆動モードを有する駆動手段とを備えてなることを特徴とするプラズマ表示装置。
【請求項２】
前記駆動手段は、
前記継続時間が前記第２の時間よりも長い第２の固定表示を検出したとき、前記第２の固定表示を該プラズマディスプレイパネルに対して前記第１の駆動電力よりも小さい第３の駆動電力を供給して駆動するための第２の残像対策駆動モードに基づく駆動を行う構成とされていることを特徴とする請求項１記載のプラズマ表示装置。
【請求項３】
前記プラズマディスプレイパネルは、
放電ギャップを隔てて互いに平行に配置された走査電極及び放電維持電極からなる複数の面放電電極対と、前記各面放電電極対と交差する複数のデータ電極と、前記面放電電極対と前記データ電極との交差領域に形成された複数の表示セルとを有し、
前記駆動手段は、
前記複数の表示セルによって表示される前記表示画面の１フレーム期間中に、前記各走査電う極に走査パルスを線順次に印加すると同時に前記各データ電極に前記走査パルスに同期した表示データパルスを印加することにより選択された前記表示セルにアドレス放電を発生させる１つ又は複数のアドレス放電期間と、前記各放電維持電極と前記各走査電極とに放電維持パルスを交互に印加して前記各表示セルを発光させる１つ又は複数の放電維持期間とを設定し、前記第１の残像対策駆動モードでは、前記放電維持パルスの単位時間あたりの放電回数を前記第２の駆動電力に対応させる一方、前記第２の残像対策駆動モードでは、前記放電維持パルスの単位時間あたりの放電回数を前記第３の駆動電力に対応させる構成とされていることを特徴とする請求項１又は２記載のプラズマ表示装置。
【請求項４】
前記駆動手段は、
前記第１の残像対策駆動モードの開始時では、前記放電維持パルスの単位時間あたりの放電回数を前記第１の駆動電力から漸次前記第２の駆動電力に対応させ、かつ終了時では、該放電回数を前記第２の駆動電力から漸次前記第１の駆動電力に対応させる一方、前記第２の残像対策駆動モードの開始時では、前記放電回数を前記第１の駆動電力から漸次前記第３の駆動電力に対応させ、かつ終了時では、該放電回数を前記第３の駆動電力から漸次前記第１の駆動電力に対応させる構成とされていることを特徴とする請求項１、２又は３記載のプラズマ表示装置。
【請求項５】
前記駆動手段は、
前記表示画面を複数の領域に分割し、前記各領域毎に、前記第１の固定表示を検出し、該第１の固定表示が検出された領域に対して前記第１の残像対策駆動モードで駆動する一方、前記第２の固定表示を検出し、該第２の固定表示が検出された領域に対して前記第２の残像対策駆動モードで駆動する構成とされていることを特徴とする請求項１乃至４の何れか一項に記載のプラズマ表示装置。
【請求項６】
複数の表示色から構成されるプラズマディスプレイパネルと、
該プラズマディスプレイパネルの表示画面を複数の領域に分割し、前記各領域に表示される各表示色に対応する表示画像信号の相関を検出し、少なくとも何れかの表示色について所定以上の相関を有する前記各領域の表示の継続時間を計測する残像判定部と、
前記継続時間が第１の時間よりも長く、かつ該第１の時間よりも長い第２の時間以下の第１の固定表示の終了を検出したとき、前記第１の固定表示終了後の表示を該プラズマディスプレイパネルに対して通常表示モードに対応した第１の駆動電力よりも大きい第２の駆動電力を供給して駆動するための第１の残像対策駆動モードを有する駆動手段とを備えてなることを特徴とするプラズマ表示装置。
【請求項７】
前記駆動手段は、
前記第２の駆動電力により駆動される前記領域に隣接する領域に対して前記第１の駆動電力よりも大きくかつ前記第２の駆動電力よりも小さい第４の駆動電力を供給して駆動するための第３の残像対策駆動モードを有することを特徴とする請求項６記載のプラズマ表示装置。
【請求項８】
前記第１の固定表示の終了を検出したとき、前記第２の駆動電力は前記相関がＡのときは、前記相関がＡより小さいＢのときより駆動電力を大きくなるように制御されることを特徴とする請求項６または７に記載のプラズマ表示装置。
【請求項９】
プラズマディスプレイパネルの表示画面に表示される所定以上の相関を有する画像の継続時間を計測する工程と、
前記継続時間が第１の時間よりも長く、かつ該第１の時間よりも長い第２の時間以下の第１の固定表示の終了を検出したとき、前記第１の固定表示終了後の表示を前記プラズマディスプレイパネルに対して通常表示モードに対応した第１の駆動電力よりも大きい第２の駆動電力により駆動する工程とを行うことを特徴とするプラズマ表示装置の駆動方法。
【請求項１０】
プラズマディスプレイパネルの表示画面を複数に分割した各領域に表示される各表示色に対応する表示画像信号の相関を検出し、所定以上の相関を有する前記表示画像信号の継続時間を計測する工程と、
前記表示画像信号の平均信号レベルを計測する工程と、
何れかの表示色について前記継続時間が第１の時間よりも長く、かつ該第１の時間よりも長い第２の時間以下の第１の固定表示の終了を検出し、かつ前記表示色の平均信号レベルが所定値以上のとき、前記第１の固定表示終了後の当該領域の表示を通常表示モードに対応した第１の駆動電力よりも大きい第２の駆動電力により駆動する工程とを行うことを特徴とするプラズマ表示装置の駆動方法。
【発明の詳細な説明】
【技術分野】
【０００１】
この発明は、プラズマ表示装置及び該プラズマ表示装置に用いられる駆動方法に係り、特に、プラズマディスプレイパネルで固定画像が長時間又は繰り返し表示される場合に発生する残像（焼き付き）を低減する機能を有するプラズマ表示装置及び該プラズマ表示装置に用いられる駆動方法に関する。
【背景技術】
【０００２】
プラズマ表示装置の残像として、以下の２種類の残像が知られている。
（１）第１の残像
たとえば、図１（ａ）に示すように、プラズマ表示装置の画面上に局所的に明るい部分が表示された後に、図１（ｂ）に示すように、同図（ａ）と同一の明るさで全体画面に明るい映像が表示されると、放電していた部分（明るい部分）の映像がより明るく見えながら残像が残るようになる。これは、以前放電していた部分においてプライミング荷電粒子がセル内に存在していて、そのプライミング荷電粒子のために放電していなかった部分に比べて、放電していた部分のセルがより明るく見えるという現象である。この原因は、部分的に明るい画像、すなわちＡＰＬ（Average Picture Level 、平均輝度レベル）の低い画像）から、全体として明るい画像（ＡＰＬの高い画像）に変わるときに、維持パルス数が急激に減少することによる。これを第１の残像と呼ぶことにする。【０００３】
（２）第２の残像
プラズマ表示装置の画面上に静止画のような固定画像が長時間又は繰り返し表示されると、プラズマディスプレイパネルにおいて放電を行っているセルと放電を行っていないセルとの間で蛍光体の劣化の進行に相違が生じ、焼き付きが発生する。また、アスペクト比１６：９のプラズマ表示装置の画面の中央部分のみにアスペクト比４：３の画像が表示され、画面の両サイドが黒表示のまま保持されると、この両サイドのセルでは放電が行われないため、画面の中央部と両サイドとの蛍光体の劣化の進行に相違が生じ、焼き付きが発生する。このような蛍光体の劣化の違いに起因する残像を第２の残像と呼ぶことにする。第２の残像は表示装置の長期使用により発生するものであり、残像の発生を緩和することはできるが、一旦発生した残像は短期的に解消することはできない。【０００４】
上記第１の残像に対する対策としては、たとえば特許文献１に記載されたものがある。特許文献１に記載されたＰＤＰの残像減少方法では、ＡＰＬ（平均輝度レベル）計算部により、入力映像のＡＰＬが計算され、三角関数区間や線形関数区間が存在するＡＰＬに対するサステインパルス数の曲線から、同ＡＰＬに対応するサステインパルス数が導出される。そして、駆動部により、このサステインパルス数に基づいてＰＤＰが駆動される。この方法は、ＡＰＬに対する維持パルス数の曲線の急激な変化を防止することにより、残像を軽減するものである。また、上記第２の残像に対する対策としては、現状では、表示画面の中で画像全体をゆっくり移動させるオービターモードのように、同じセルが累積長時間表示されるのを防止し、蛍光体の劣化するセルを分散させることにより軽減するか、あるいは、表示輝度を低下させることにより軽減する方法がとられている。
【特許文献１】特開２００５−１２８５４４号公報（要約書、図４、図５）
【発明の開示】
【発明が解決しようとする課題】
【０００５】
しかしながら、上記従来のプラズマ表示装置では、次のような問題点があった。
すなわち、特許文献１に記載された第１の残像対策で、残像の低減に時間がかかるという欠点がある。本発明が解決しようとする課題としては、この問題点が一例として挙げられる。また、第２の残像対策は一部で実施され、ある程度の効果はあるが、第１の残像と第２の残像を総合的に軽減する方法は提案されていない。このため、第１の残像及び第２の残像を総合的に軽減したいという課題も一例として挙げられる。
【課題を解決するための手段】
【０００６】
上記課題を解決するために、請求項１記載の発明は、プラズマ表示装置に係り、プラズマディスプレイパネルと、該プラズマディスプレイパネルの表示画面に表示される所定以上の相関を有する画像の継続時間を計測する残像判定部と、前記継続時間が第１の時間よりも長く、かつ該第１の時間よりも長い第２の時間以下の第１の固定表示の終了を検出したとき、前記第１の固定表示終了後の表示を該プラズマディスプレイパネルに対して通常表示モードに対応した第１の駆動電力よりも大きい第２の駆動電力を供給して駆動するための第１の残像対策駆動モードを有する駆動手段とを備えてなることを特徴とする。【０００７】
また、請求項６記載の発明は、プラズマ表示装置に係り、複数の表示色から構成されるプラズマディスプレイパネルと、該プラズマディスプレイパネルの表示画面を複数の領域に分割し、前記各領域に表示される各表示色に対応する表示画像信号の相関を検出し、少なくとも何れかの表示色について所定以上の相関を有する前記各領域の表示の継続時間を計測する残像判定部と、前記継続時間が第１の時間よりも長く、かつ該第１の時間よりも長い第２の時間以下の第１の固定表示の終了を検出したとき、前記第１の固定表示終了後の表示を該プラズマディスプレイパネルに対して通常表示モードに対応した第１の駆動電力よりも大きい第２の駆動電力を供給して駆動するための第１の残像対策駆動モードを有する駆動手段とを備えてなることを特徴とする。【０００８】
また、請求項９記載の発明は、プラズマ表示装置の駆動方法に係り、プラズマディスプレイの表示画面に表示される所定以上の相関を有する画像の継続時間を計測する工程と、前記継続時間が第１の時間よりも長く、かつ該第１の時間よりも長い第２の時間以下の第１の固定表示の終了を検出したとき、前記第１の固定表示終了後の表示を前記プラズマディスプレイパネルに対して通常表示モードに対応した第１の駆動電力よりも大きい第２の駆動電力により駆動する工程とを行うことを特徴とする。【０００９】
また、請求項１０記載の発明は、プラズマ表示装置の駆動方法に係り、プラズマディスプレイパネルの表示画面を複数に分割した各領域に表示される各表示色に対応する表示画像信号の相関を検出し、所定以上の相関を有する前記表示画像信号の継続時間を計測する工程と、前記表示画像信号の平均信号レベルを計測する工程と、何れかの表示色について前記継続時間が第１の時間よりも長く、かつ該第１の時間よりも長い第２の時間以下の第１の固定表示の終了を検出し、かつ前記表示色の平均信号レベルが所定値以上のとき、前記第１の固定表示終了後の当該領域の表示を通常表示モードに対応した第１の駆動電力よりも大きい第２の駆動電力により駆動する工程とを行うことを特徴とする。
【図面の簡単な説明】
【００１０】
【図１】プラズマディスプレイパネルに発生する第１の残像を説明する図である。
【図２】この発明の第１の実施例であるプラズマ表示装置の要部の電気的構成を示すブロック図である。
【図３】図２中の表示部５の要部の構造を示す図である。
【図４】図３のＰＤＰに用いられる階調表示方法を説明する図である。
【図５】表示部５の表示画面を複数の領域に分割した状態を示す模式図である。
【図６】輝度制御部４の動作を説明するタイムチャートである。
【図７】この発明の第２の実施例であるプラズマ表示装置の要部の電気的構成を示すブロック図である。
【符号の説明】
【００１１】
１      ＡＰＬ演算部（駆動手段の一部）
２      残像判定部（駆動手段の一部）
３      メモリ（駆動手段の一部）
４      輝度制御部（駆動手段の一部）
５      表示部（ＰＤＰ、プラズマディスプレイパネル）
１１      ガラス基板（ＰＤＰの一部）
１２      面放電電極対（ＰＤＰの一部）
１３      誘電体層（ＰＤＰの一部）
１４      ブラックマトリクス（ＰＤＰの一部）
１５      ガラス基板（ＰＤＰの一部）
１６      データ電極（ＰＤＰの一部）
１７      白色グレーズ層（ＰＤＰの一部）
１８      隔壁（ＰＤＰの一部）
１９      蛍光体
２１  相関演算部（駆動手段の一部）
ＳＦ１，ＳＦ２，…，ＳＦ８      サブフィールド
【発明を実施するための最良の形態】
【００１２】
駆動手段により、プラズマディスプレイパネルに対して、第１の残像対策駆動モードでは、通常表示モードに対応した第１の駆動電力よりも大きい第２の駆動電力が供給されて駆動され、放電空間の活性化が進むので、第１の残像の低減を短時間で行うことができ、また、第２の残像対策駆動モードでは、第１の駆動電力よりも小さい第３の駆動電力が供給されて駆動され、同プラズマディスプレイパネルの第２の残像を緩和できる。【００１３】
残像判定部により、プラズマディスプレイパネルの表示画面に表示される所定以上の相関を有する画像の継続時間が計測される。駆動手段である輝度制御部は、第１の時間よりも長く、かつ同第１の時間よりも長い第２の時間以下の間、所定以上の相関を有する画像の継続が続き、かつ第２の時間以下でこの継続の終了を検出したとき、第１の固定表示を検出したと判定する。この第１の固定表示終了後の表示では、プラズマディスプレイパネルは、第１の残像対策駆動モードにより駆動される。第１の残像対策駆動モードでは、プラズマディスプレイパネルは、通常表示モードに対応した第１の駆動電力よりも大きい第２の駆動電力により駆動されるため、第１の固定表示終了後の残像（第１の残像）を速やかに軽減することができる。【００１４】
また、輝度制御部は、所定以上の相関を有する画像が第２の時間よりも長く継続するのを検出したとき、第２の固定表示を検出したと判定する。第２の固定表示では、プラズマディスプレイパネルは、第２の残像対策駆動モードにより駆動される。第２の残像対策駆動モードでは、プラズマディスプレイパネルは、通常表示モードに対応した第１の駆動電力よりも大きい第３の駆動電力により駆動されるため、第２の固定表示による残像（第２の残像）の発生を軽減することができる。上記第１の残像及び第２の残像の検出においては、表示画面の一部である特定領域の何れかの表示色について第１の固定表示及び第２の固定表示を検出し、当該特定領域を第１の固定表示又は第２の固定表示と判定することもできる。さらに、ある特定領域の何れかの表示色について第１の固定表示及び第２の固定表示を検出するとき、当該領域における当該表示色の平均信号レベルが所定値以上であることを条件に加えることもできる。当該表示色の平均信号レベルが所定値以下の場合、一般に第１の残像及び第２の残像が共に目立たないためである。
【実施例１】
【００１５】
図２は、この発明の第１の実施例であるプラズマ表示装置の要部の電気的構成を示すブロック図である。
この例のプラズマ表示装置は、同図に示すように、ＡＰＬ演算部１と、残像判定部２と、メモリ３と、輝度制御部４と、表示部５とから構成されている。表示部５は、ＰＤＰで構成されている。同ＰＤＰは、放電ギャップを隔てて互いに平行に配置された走査電極及び放電維持電極からなる複数の面放電電極対と、同各面放電電極対と交差する複数のデータ電極と、同面放電電極対と同データ電極との交差領域に形成された複数の表示セルとを有している。輝度制御部４は、画像信号ｐｉに基づいて、表示部５のＰＤＰに対して通常表示モードに対応した第１の駆動電力よりも大きい第２の駆動電力を供給して駆動するための第１の残像対策駆動モード、及び、同第１の駆動電力よりも小さい第３の駆動電力を供給して駆動するための第２の残像対策駆動モードを有している。第１及び第２の残像対策駆動モードでは、通常の表示画像の他、残像対策画像として、全白画像、白黒市松画像、通常の表示画像の反転画像が表示されるようになっている。【００１６】
ＡＰＬ演算部１は、画像信号ｐｉに基づいて、表示部５の表示画面を複数の領域に分割し、所定時間（たとえば、１０秒）毎に同各領域毎のＲ（赤），Ｇ（緑），Ｂ（青）のＡＰＬを演算する。残像判定部２は、ＡＰＬ演算部１で演算された各領域毎のＲ，Ｇ，ＢのＡＰＬをメモリ３に送出して記憶させると共に、同Ｒ，Ｇ，Ｂの少なくとも一つのＡＰＬの変化が所定値以下、かつ、同ＡＰＬの値が所定値以上となる継続時間が第１の時間よりも長く、かつ同第１の時間よりも長い第２の時間以下の第１の固定表示の終了を検出したとき、第１のモード制御信号ｍａを輝度制御部４へ送出する一方、同継続時間が上記第２の時間よりも長い第２の固定表示を検出したとき、第２のモード制御信号ｍｂを輝度制御部４へ送出する。この場合、輝度制御部４は、第１のモード制御信号ｍａに基づいて第１の残像対策駆動モードで駆動を行う一方、第２のモード制御信号ｍｂに基づいて第２の残像対策駆動モードで駆動を行う。【００１７】
また、輝度制御部４は、上記各領域毎に第１の固定表示の終了を検出し、当該領域に対して第１の固定表示の終了後の所定時間第１の残像対策モードを適用する。第１の色について第１の固定表示の終了が検出され、他の色について第２の固定表示が検出されていないとき、当該領域の全ての色に対して第１の固定表示の終了後の所定時間第１の残像対策モードを適用する。ただし、第１の残像対策モード適用中に、何れかの色の第２の固定表示が検出されると、当該領域の全ての色に対して第２の残像対策モードを適用する。第１の残像と第２の残像とが重なる場合は、第２の残像を優先し、第２の残像対策モードを適用する。また、輝度制御部４は、上記各領域毎に第２の固定表示を検出し、当該領域に対して第２の固定表示が継続する間、第２の残像対策モードを適用する。第１の色について第２の固定表示が検出され、他の色について第２の固定表示が検出されていないとき、当該領域の全ての色に対して第２の残像対策モードを適用する。【００１８】
また、輝度制御部４は、表示部５のＰＤＰの表示セルによって表示される表示画面の１フレーム期間中に、各走査電極に走査パルスを線順次に印加すると同時に各データ電極に走査パルスに同期した表示データパルスを印加することにより選択された上記表示セルにアドレス放電を発生させる１つ又は複数のアドレス放電期間と、上記各放電維持電極と上記各走査電極とに放電維持パルスを交互に印加して上記各表示セルを発光させる１つ又は複数の放電維持期間とを設定し、第１の残像対策駆動モードでは、放電維持パルスの単位時間あたりの放電回数を上記第２の駆動電力に対応させる一方、第２の残像対策駆動モードでは、上記放電維持パルスの単位時間あたりの放電回数を上記第３の駆動電力に対応させる。特に、この実施例では、輝度制御部４は、表示部５のＰＤＰの表示セルによって階調表示される表示画面の１フレーム期間を階調レベルに基づいて重み付けされた複数のサブフィールドに分割し、同各サブフィールドに、上記アドレス放電期間と放電維持期間とを設定する。【００１９】
また、輝度制御部４は、第１の残像対策駆動モードの開始時では、放電維持パルスの単位時間あたりの放電回数を上記第１の駆動電力から漸次上記第２の駆動電力に対応させ、かつ終了時では、同放電回数を同第２の駆動電力から漸次同第１の駆動電力に対応させる一方、第２の残像対策駆動モードの開始時では、同放電回数を同第１の駆動電力から漸次上記第３の駆動電力に対応させ、かつ終了時では、同放電回数を同第３の駆動電力から漸次上記第１の駆動電力に対応させる。この場合、輝度制御部４は、第１の残像対策駆動モードでは、通常表示モード時に比較して、放電維持パルスの周波数を増加させることにより、放電回数を第２の駆動電力に対応させる一方、第２の残像対策駆動モードでは、通常表示モード時に比較して、放電維持パルスの周波数を減少させることにより、放電回数を第３の駆動電力に対応させる。放電維持パルスの周波数を増減する場合、通常表示モード時では、たとえば４００Ｈｚ、第１の残像対策駆動モード時では、たとえば６００Ｈｚ、及び、第２の残像対策駆動モード時では、たとえば２００Ｈｚに設定されている。【００２０】
また、輝度制御部４は、上記第１の固定表示として検出された領域に隣接する領域に対して上記第１の駆動電力よりも大きくかつ上記第２の駆動電力よりも小さい第４の駆動電力を供給して駆動するための第３の残像対策駆動モード、及び、上記第２の固定表示として検出された領域に隣接する領域に対して同第１の駆動電力よりも小さくかつ上記第３の駆動電力よりも大きい第５の駆動電力を供給して駆動するための第４の残像対策駆動モードを有している。この場合、輝度制御部４は、上記第３の残像対策駆動モードの開始時では、当該領域に対して供給する電力を上記第１の駆動電力から漸次上記第４の駆動電力に変化させ、かつ、終了時では、同電力を同第４の駆動電力から漸次上記第２の駆動電力に変化させる一方、上記第４の残像対策駆動モードの開始時では、当該領域に対して供給する電力を同第１の駆動電力から漸次上記第５の駆動電力に変化させ、かつ、終了時では、同電力を同第５の駆動電力から漸次同第１の駆動電力に変化させる。上記ＡＰＬ演算部１、残像判定部２、メモリ３及び輝度制御部４で駆動手段が構成されている。【００２１】
図３は、図２中の表示部５の要部の構造を示す図である。
この表示部５では、同図３に示すように、表示側となるガラス基板１１上に、図示しない金属のバス電極が積層された透明導電膜からなる面放電電極対１２と、表面に酸化マグネシウム膜が付着された誘電体層１３とが形成され、さらに黒色の格子状のブラックマトリクス１４が画素を確定するように形成されている。裏面側のガラス基板１５上には、データ電極１６と、白色グレーズ層１７と、ストライプ状の白色の隔壁１８とが形成され、同隔壁１８で挟まれた溝の中には３原色（Ｒ，Ｇ，Ｂ、赤，緑，青）の蛍光を発する蛍光体１９が各色毎に塗り分けられている。ガラス基板１１，１５の間には放電ガスが封入されている。また、面放電電極対１２とデータ電極１６との交差領域に表示セルが形成されている。【００２２】
図４は、図３のＰＤＰに用いられる階調表示方法を説明する図であり、横軸に時刻、縦軸に同ＰＤＰ内の面放電電極の図示しない番号がとられている。
このＰＤＰでは、同図４に示すように、１フレーム（たとえば、１６．７ｍｓ、「１ＴＶフィールド」ともいう）が８つのサブフィールドＳＦ１，ＳＦ２，…，ＳＦ８に分割され、これらのサブフィールドが、さらにアドレス放電期間と放電維持期間とに分割されている。各アドレス放電期間内の斜線は、各面放電電極対に印加される走査パルスのタイミングを表す。この走査パルスとデータ電極に印加される表示データパルスとの両者が同時に加わると、書込み放電が発生する。図中の網かけされた部分（放電維持期間）は、表示セルが表示発光する期間である。これらの放電維持期間では、面放電電極１２に放電維持パルスが印加される。アドレス放電期間に放電が発生した表示セルは、放電維持期間の長さに応じた強度で発光する。図中の８つの放電維持期間の長さは、１：２：４：８：１６：３２：６４：１２８の比に設定されているため、これらの放電維持期間における発光を組み合わせることにより、２５６の階調（０〜２５５）の画面が表示される。また、放電維持期間における放電維持パルスの回数により当該のサブフィールドにおける発光輝度が決定される。放電維持期間における放電維持パルスの周波数が高くなると、全体の発光回数が多くなり、発光輝度が高くなる。【００２３】
図５は、表示部５の表示画面を複数の領域に分割した状態を示す模式図、及び図６が、輝度制御部４の動作を説明するタイムチャートである。
これらの図を参照して、この例のプラズマ表示装置に用いられる駆動方法の処理内容について説明する。
図６中のＡＰＬは、ＡＰＬの変化が所定値以下の期間を“Ｈ”レベル、ＡＰＬの変化が所定値より大きい期間を“Ｌ”レベルで示す。放電回数は、放電回数の大きさを線の高さで示す。
このプラズマ表示装置では、表示部５のＰＤＰの表示画面中で、継続時間が第１の時間よりも長く、かつ同第１の時間よりも長い第２の時間以下の第１の固定表示の終了が検出されたとき、第１の残像対策駆動モードにより、同ＰＤＰに対して通常表示モードに対応した第１の駆動電力よりも大きい第２の駆動電力が供給されて駆動される一方、継続時間が上記第２の時間よりも長い第２の固定表示が検出されたとき、第２の残像対策駆動モードにより、上記第１の駆動電力よりも小さい第３の駆動電力が供給されて駆動される。【００２４】
すなわち、ＡＰＬ演算部１では、画像信号ｐｉに基づいて、表示部５の表示画面が、たとえば図５に示すように、複数の領域（ＡＰＬ０１〜ＡＰＬ１６）に分割され、所定時間（１０秒）毎に同各領域毎のＲ（赤），Ｇ（緑），Ｂ（青）のＡＰＬ（ＡＰＬＲ０１〜ＡＰＬＲ１６，ＡＰＬＧ０１〜ＡＰＬＧ１６，ＡＰＬＢ０１〜ＡＰＬＢ１６）（以下、「ＡＰＬＮ」という）が演算される。残像判定部２では、ＡＰＬ演算部１で演算された各領域毎のＲ，Ｇ，ＢのＡＰＬＮをメモリ３に送出して記憶させると共に、同Ｒ，Ｇ，Ｂの少なくとも一つのＡＰＬＮの変化が所定値以下（すなわち、｜ＡＰＬＮ−前回のＡＰＬＮ｜≦ｂ）、かつ、同ＡＰＬＮの値が所定値以上（すなわち、ＡＰＬＮ≧ａ）となる継続時間（たとえば、検出回数ＡＰＬＣＮ）が第１の時間（たとえば、検出回数ｃ＝６）よりも長く、かつ同第１の時間よりも長い第２の時間（たとえば、検出回数ｄ＝６０）以下の第１の固定表示終了が検出されたとき、第１のモード制御信号ｍａが輝度制御部４へ送出される一方、同継続時間が同第２の時間（検出回数ｄ＝６０）よりも長い第２の固定表示が検出されたとき、第２のモード制御信号ｍｂが輝度制御部４へ送出される。【００２５】
輝度制御部４では、残像判定部２から第１のモード制御信号ｍａが送出されたとき、表示部５に対して第１の残像対策駆動モードで駆動が行われ、また、残像判定部２から第２のモード制御信号ｍｂが送出されたとき、同表示部５に対して第２の残像対策駆動モードで駆動が行われる。すなわち、図６（ａ）に示すように、第１の残像対策駆動モードの開始時では、輝度制御部４により、放電維持パルスの単位時間あたりの放電回数が第１の駆動電力ｐ１から漸次第２の駆動電力ｐ２に対応し、所定時間Ｔａ後の終了時では、同放電回数が同第２の駆動電力ｐ２から漸次同第１の駆動電力ｐ１に対応する。また、輝度制御部４により、第１の固定表示として検出された領域に隣接する領域に対して、第３の残像対策駆動モードで駆動が行われる。第３の残像対策駆動モードの開始時では、輝度制御部４により、当該領域に対して供給する電力が第１の駆動電力ｐ１から漸次第４の駆動電力ｐ４に変化し、終了時では、同電力が同第４の駆動電力ｐ４から漸次第１の駆動電力ｐ１に変化する。【００２６】
また、図６（ｂ）に示すように、第２の残像対策駆動モードの開始時では、輝度制御部４により、放電維持パルスの単位時間あたりの放電回数が第１の駆動電力ｐ１から漸次第３の駆動電力ｐ３に対応し、残像判定部２から第２モード制御信号ｍｂが継続して送出される間は駆動電力ｐ３が継続して適応される。第２の固定表示が終了し、残像判定部２から第２モード制御信号ｍｂが送出されなくなると、同放電回数が同第３の駆動電力ｐ３から漸次第１の駆動電力ｐ１に対応する。また、輝度制御部４により、第２の固定表示として検出された領域に隣接する領域に対して同第１の駆動電力ｐ１よりも小さくかつ第３の駆動電力ｐ３よりも大きい第５の駆動電力ｐ５を供給して駆動するための第４の残像対策駆動モードを有している。第４の残像対策駆動モードの開始時では、当該領域に対して供給する電力が同第１の駆動電力ｐ１から漸次第５の駆動電力ｐ５に変化し、終了時では、同電力が同第５の駆動電力ｐ５から漸次第１の駆動電力ｐ１に変化する。【００２７】
以上のように、この第１の実施例では、表示部５のＰＤＰの表示画面中で、第１の固定表示が検出されたとき、第１の残像対策駆動モードにより、同ＰＤＰに対して通常表示モードに対応した第１の駆動電力ｐ１よりも大きい第２の駆動電力ｐ２が供給されて駆動され、放電空間の活性化が進むので、残像の低減が短時間で行われ、一方、第２の固定表示が検出されたとき、第２の残像対策駆動モードにより、第１の駆動電力ｐ１よりも小さい第３の駆動電力ｐ３が供給されて駆動されるので、表示部５の蛍光体の劣化が緩和される。【００２８】
また、第１の残像対策駆動モードの開始時では、放電維持パルスの放電回数が第１の駆動電力ｐ１から漸次第２の駆動電力ｐ２に対応し、終了時では、同放電回数が同第２の駆動電力ｐ２から漸次同第１の駆動電力ｐ１に対応するので、急激な輝度変化が抑制される。また、第３の残像対策駆動モードの開始時では、当該領域に対して供給する電力が第１の駆動電力ｐ１から漸次第４の駆動電力ｐ４に変化し、終了時では、同電力が同第４の駆動電力ｐ４から漸次第１の駆動電力ｐ１に変化するので、急激な輝度変化が抑制される。また、第２の残像対策駆動モードの開始時では、輝度制御部４により、放電維持パルスの単位時間あたりの放電回数が第１の駆動電力ｐ１から漸次第３の駆動電力ｐ３に対応し、終了時では、同放電回数が同第３の駆動電力ｐ３から漸次第１の駆動電力ｐ１に対応するので、急激な輝度変化が抑制される。また、第４の残像対策駆動モードの開始時では、当該領域に対して供給する電力が同第１の駆動電力ｐ１から漸次第５の駆動電力ｐ５に変化し、終了時では、同電力が同第５の駆動電力ｐ５から漸次第１の駆動電力ｐ１に変化するので、急激な輝度変化が抑制される。【００２９】
上記第１の実施例では、当該表示領域のＲ，Ｇ，Ｂ毎のＡＰＬの変化が所定値以下のときに固定表示と判断されたが、当該表示領域のＲ，Ｇ，Ｂ毎の固定表示の検出方法としては、ＡＰＬの変化に限定されるわけではない。
【実施例２】
【００３０】
図７は、この発明の第２の実施例であるプラズマ表示装置の要部の電気的構成を示すブロック図であり、第１の実施例を示す図２中の要素と共通の要素には共通の符号が付されている。
この例のプラズマ表示装置では、同図７に示すように、図２中のＡＰＬ演算部１に代えて、相関演算部２１が設けられている。相関演算部２１は、画像信号ｐｉに基づいて、当該表示領域のＲ，Ｇ，Ｂの相関を演算する。他は、図２と同様の構成である。このプラズマ表示装置では、相関演算部２１により、一定時間毎又は一定フレーム数毎に画像信号ｐｉが検出され、前回検出された画像信号ｐｉと比較されて前回と今回とのＲ，Ｇ，Ｂの相関がとられ、所定以上の相関が継続するとき、残像判定部２により、固定表示と判定される。
【実施例３】
【００３１】
上記実施例１及び実施例２では、第１の残像モードの検出について、所定以上の相関を有する画像の継続時間が第１の時間よりも長く、かつ第２の時間以下の第１の固定表示の終了が検出されたとき、ＰＤＰに対して通常表示モードに対応した第１の駆動電力よりも大きい第２の駆動電力が供給されるが、第１の固定表示に該当する場合でも、その相関が大きい場合と小さい場合とがある。すなわち、画像の大部分が固定表示の場合と、一部のみが固定表示の場合とがある。このため、相関が大きいときは、第２の駆動電力がより大きな駆動電力となるように制御する一方、相関が小さいとき、第２の駆動電力がより小さな駆動電力となるように制御する。これにより、残像がより効果的に軽減される。【００３２】
以上、この発明の実施例を図面により詳述してきたが、具体的な構成は同実施例に限られるものではなく、この発明の要旨を逸脱しない範囲の設計の変更などがあっても、この発明に含まれる。
たとえば、実施例１では、輝度制御部４は、ユーザがスイッチなどを操作することにより第１のモード制御信号ｍａ及び第２のモード制御信号ｍｂが入力される構成としても良い。この場合、ユーザがスイッチを操作すると共に、目視で残像状態をチェックすることにより、残像の低減が行われる。また、ＡＰＬ演算部１に代えて、動きベクトル検出手段を設け、この動きベクトル検出手段により、領域毎の動きベクトルを求め、その値が所定値以下のとき、その継続時間に基づいて第１又は第２の固定表示と判定するようにしても良い。ＡＰＬ演算及び動きベクトル検出は、広い意味において表示画面に表示される所定以上の相関を有する画像を検出する手段として用いることができる。
【図１】
2008126338.tif 000003
【図２】
2008126338.tif 000004
【図３】
2008126338.tif 000005
【図４】
2008126338.tif 000006
【図５】
2008126338.tif 000007
【図６】
2008126338.tif 000008
【図７】
2008126338.tif 000009
【国際調査報告】
2008126338.tif 000010
2008126338.tif 000011
2008126338.tif 000012